(57)【要約】【課題】  感知器取付板を確実にボックス本体のガイドレールに差し込むことができるようにして、感知器取付板の昇降路内への落下を防止する。【解決手段】  ボックス本体２の感知器取付板３の差し込み側の開口部における左右垂直壁に、感知器取付板３をボックス本体２のガイドレール２ｂ、２ｂに差し込むことができる位置に切欠き１２を設けた邪魔板部１１、１１を設ける。【選択図】  図１
2011154623.tif 000002
【特許請求の範囲】
【請求項１】
左右側壁内面に後記感知器取付板が差し込まれるガイドレールを設けた筒状のボックス本体と、
一端部に火災感知器を取り付けると共に他端部を折曲してストッパー部となし、幅方向の両端部を前記ガイドレールに摺動自在に嵌入してなる感知器取付板と、
該感知器取付板に取り付けられた火災感知器を挿通可能な開口部を有し、且つ該開口部を前記ボックス本体の開口部に連結固定する蓋取付枠及び該蓋取付枠の開口部を塞ぐ蓋本体とからなる蓋とをもって構成される火災感知器用点検ボックスにおいて、
前記感知器取付板が差し込まれる側の開口部に、前記感知器取付板をボックス本体のガイドレールに差し込むことができる位置に切欠きを設けた邪魔板部を設けたことを特徴とする火災感知器用点検ボックス。
【請求項２】
前記ボックス本体の感知器取付板が差し込まれる側の開口部に前記邪魔板部を設けたことを特徴とする請求項１に記載の火災感知器用点検ボックス。
【請求項３】
前記蓋を構成する蓋取付枠の開口部に前記邪魔板部を設けたことを特徴とする請求項１に記載の火災感知器用点検ボックス。
【発明の詳細な説明】
【技術分野】
【０００１】
本発明は、エレベータにおける乗りかごが昇降する昇降路等の内部に設置する火災感知器を、昇降路の外部に取り出して点検するための火災感知器用点検ボックスに関するものである。
【背景技術】
【０００２】
エレベータにおける乗りかごが昇降する昇降路の内部には、火災感知器の設置が義務づけられている。そしてまた、この火災感知器の定期点検も義務づけられている。
【０００３】
そして、上記火災感知器を点検する際に、火災感知器を昇降路内に固定することなく、これを昇降路の外部に取り出して行うことができるようにすれば、安全且つ迅速に点検作業を済ませることができることから、従来においてもこのようにするための火災感知器用点検ボックスが用いられている。
【０００４】
図１２には斯かる火災感知器用点検ボックスを示している。１００は該火災感知器用点検ボックスである。また、該火災感知器用点検ボックス１００は、昇降路壁（図示せず。）に、その内外に貫通するよう埋設されており、後記感知器取付板の差し込み側の開口部に、ビス螺合孔（図示せず。）を有する連結片部１０１ａ、１０１ａ、１０１ａ、１０１ａを設けると共に、左右垂直壁の内面にガイドレール１０１ｂ、１０１ｂを設けた金属製のボックス本体１０１と、先端部に火災感知器１０３を取り付けると共に後端部を直角に折曲してストッパー部１０２ａとなし、幅方向の両端部を前記ボックス本体１０１のガイドレール１０１ｂ、１０１ｂに摺動自在に嵌入してなる感知器取付板１０２と、前記ボックス本体１０１の開口部と略同形、同大の開口部を有し且つ該開口部の前記ボックス本体１０１の連結片部１０１ａ、１０１ａ、１０１ａ、１０１ａと合わさる位置にビス挿通孔１０５ａ、１０５ａ、１０５ａ、１０５ａを有する連結片部１０５ｂ、１０５ｂ、１０５ｂ、１０５ｂを設け、ビス１０５ｃ、１０５ｃ、１０５ｃ、１０５ｃをもって前記ボックス本体１０１の開口部に連結固定する蓋取付枠１０５及び該蓋取付枠１０５の開口部を塞ぐ蓋本体１０６とからなる蓋１０４とをもって構成されている。
【０００５】
尚、図示した従来例は蓋１０４における蓋本体１０６を蓋取付枠１０５に枢軸１０７を介して枢着している場合であるが、このようになされていない場合もある。また、１０８は蓋取付枠１０５の開口部に設けた、ビス螺合孔１０８ａを有する連結片部、１０９は蓋本体１０６に設けたビス挿通孔である。そして、ビス１０９を蓋本体１０６のビス挿通孔１１０から挿通し、蓋取付枠１０５における連結片部１０８のビス螺合孔１０８ａに螺合させて蓋本体１０６の閉じた状態を保持するものである。
【０００６】
そして、上記火災感知器用点検ボックス１００は、その火災感知器１０３を点検するときには、蓋１０４における蓋本体１０６を開き、火災感知器取付板１０２を手前に引いて火災感知器１０３を昇降路内から取り出し、点検終了後再び逆の手順により再セットするものである。
【０００７】
しかし、上記従来の火災感知器用点検ボックス１００にあっては、ボックス本体１０１のガイドレール１０１ｂ、１０１ｂにおける感知器取付板１０２の差し込み側の端部の隙間が、感知器取付板１０２の肉厚に対応したスペースしかないために極めて狭く、またガイドレール１０１ｂ、１０１ｂの上下は感知器取付板１０２の幅方向の両端部が自由に通過する空間となっていることから、感知器取付板１０２が、図１３に示す如く、その幅方向の両端部のいずれもがガイドレール１０１ｂ、１０１ｂに差し込まれなかったり、或いは図１４に示す如く、いずれか一方しか差し込まれないといった事態が起こり得る。そして、このような場合において、点検者が気付かずに昇降路内の感知器設置位置まで感知器取付板１０２を押し込み続けると、該感知器取付板１０２を昇降路内に落下させてしまう危険性がある。
【発明の概要】
【発明が解決しようとする課題】
【０００８】
本発明は上記の点に鑑みなされたものであって、確実に感知器取付板をボックス本体のガイドレールに差し込むことができるようになして、火災感知器取付板の昇降路内への落下を防止することができ、而も簡単な構成でもって安上がりに実施することができるようになした火災感知器用点検ボックスを提供しようとするものである。
【課題を解決するための手段】
【０００９】
而して、本発明の要旨とするところは、左右側壁内面に後記感知器取付板が差し込まれるガイドレールを設けた筒状のボックス本体と、一端部に火災感知器を取り付けると共に他端部を折曲してストッパー部となし、幅方向の両端部を前記ガイドレールに摺動自在に嵌入してなる感知器取付板と、該感知器取付板に取り付けられた火災感知器を挿通可能な開口部を有し、且つ該開口部を前記ボックス本体の開口部に連結固定する蓋取付枠及び該蓋取付枠の開口部を塞ぐ蓋本体とからなる蓋とをもって構成される火災感知器用点検ボックスにおいて、前記感知器取付板が差し込まれる側の開口部に、前記感知器取付板をボックス本体のガイドレールに差し込むことができる位置に切欠きを設けた邪魔板部を設けたことを特徴とする火災感知器用点検ボックスにある。
【００１０】
そして、上記構成において、前記ボックス本体の感知器取付板が差し込まれる側の開口部に前記邪魔板部を設けたことをその要旨とする。
【００１１】
更に、これに代えて前記蓋を構成する蓋取付枠の開口部に前記邪魔板部を設けたことをもその要旨とするものである。
【発明の効果】
【００１２】
本発明の態様に係る火災感知器用点検ボックスによれば、ボックス本体のガイドレールの差し込み側には、ボックス本体或いは蓋取付枠に、ガイドレールに差し込むことができる位置に切欠きを設けた邪魔板部が設けられているから、感知器取付板を該切欠き以外の部分からボックス本体内に差し入れることがなくなる。したがって、確実に感知器取付板をボックス本体のガイドレールに差し込むことができるものである。そしてこれにより、感知器取付板をボックス本体に押し込んだときに、その後端部の折曲して形成したストッパー部が確実に邪魔板部に接触してそれ以上の進行が阻止され、もって昇降路内への落下を確実に防止することができるものである。また、火災感知器も昇降路内の適正位置に、適正角度で設置することができるものである。また、ボックス本体或いは蓋取付枠に、切欠きを設けた邪魔板部を設けるという簡単な構成であるから、安上がりに実施することができるものである。
【図面の簡単な説明】
【００１３】
【図１】本発明の第１の態様に係る火災感知器用点検ボックスの蓋を開いた状態の正面図である。
【図２】同蓋を閉じた状態の正面図である。
【図３】同蓋を閉じた状態の、火災感知器を省略して示した背面図である。
【図４】同蓋を閉じた状態の、火災感知器を省略して示した右側面図である。
【図５】同蓋を閉じた状態の、火災感知器を省略して示した平面図である。
【図６】同蓋を閉じた状態の、火災感知器を省略して示した底面図である。
【図７】図２中Ａ−Ｂ線断面図である。
【図８】同ガイドレールを省略して示したボックス本体の構成部品の展開平面図である。
【図９】同使用状態の説明図である。
【図１０】本発明の第２の態様に係る火災感知器用点検ボックスの蓋を開いた状態の正面図である。
【図１１】同蓋取付枠の展開平面図である。
【図１２】従来の火災感知器用点検ボックスの蓋を開いた状態の正面図である。
【図１３】同火災感知器取付板の異常な差し込み状態の一例の説明図である。
【図１４】同火災感知器取付板の異常な差し込み状態の他の例の説明図である。
【発明を実施するための形態】
【００１４】
以下、本発明を実施するための形態について、図面を参照して説明する。
【００１５】
図１乃至図９は、本発明の第１の態様に係る火災感知器用点検ボックスを示すものである。
【００１６】
図中、１は火災感知器用点検ボックスである。また、該火災感知器用点検ボックス１は、その基本的な構成において上記従来の火災感知器用点検ボックスと同様である。
【００１７】
即ち、後記感知器取付板の差し込み側の開口部に、ビス螺合孔２ａ′を有する連結片部２ａ、２ａ、２ａ、２ａを設けると共に、左右垂直壁の内面にガイドレール２ｂ、２ｂを設けた金属製のボックス本体２と、先端部に火災感知器４を取り付けると共に後端部を直角に折曲してストッパー部３ａとなし、幅方向の両端部を前記ボックス本体２のガイドレール２ｂ、２ｂに摺動自在に嵌入してなる感知器取付板３と、前記ボックス本体２の開口部と略同形、同大の開口部を有し且つ該開口部の前記ボックス本体２の連結片部２ａ、２ａ、２ａ、２ａと合わさる位置にビス挿通孔６ａ、６ａ、６ａ、６ａを有する連結片部６ｂ、６ｂ、６ｂ、６ｂを設け、ビス６ｃ、６ｃ、６ｃ、６ｃをもって前記ボックス本体２の開口部に連結固定する蓋取付枠６及び該蓋取付枠６の開口部を塞ぐ蓋本体７とからなる蓋５とをもって構成されている。
【００１８】
尚、本態様においては、蓋５における蓋本体７を蓋取付枠６に枢軸８を介して枢着しているが、必ずしもこのようにしなくてもよい。即ち、蓋本体７を蓋取付枠６から取り外すことができるようにしてもよい。また、９は蓋取付枠６の開口部に設けた、ビス螺合孔９ａを有する連結片部、１０は蓋本体７に設けたビス挿通孔である。そして、ビス１０ａを蓋本体７のビス挿通孔１０から挿通し、蓋取付枠６における連結片部９のビス螺合孔９ａに螺合させて蓋本体７の閉じた状態を保持するものである。
【００１９】
そして、上記火災感知器用点検ボックス１は、その火災感知器４を点検するときには、蓋５における蓋本体７を開き、火災感知器取付板３を手前に引いて火災感知器４を昇降路内から取り出し、点検終了後再び逆の手順により再セットするものである。
【００２０】
而して、本発明の第１の態様に係る火災感知器用点検ボックスの特徴とするところは、前記ボックス本体２の感知器取付板３の差し込み側の開口部における左右垂直壁に、前記感知器取付板３をボックス本体２のガイドレール２ｂ、２ｂに差し込むことができる位置に切欠き１２を設けた邪魔板部１１、１１を設けたことにある。
【００２１】
また、本実施形態においては、邪魔板部１１、１１を設けるについて、ボックス本体２の感知器取付板３の差し込み側の開口部に設けた連結片部２ａ、２ａ、２ａ、２ａを、左右夫々に位置するもの同士を一枚の板で構成することによって一体化し、上下に位置する連結片部２ａ、２ａの中間部分を邪魔板部１１、１１となしている。
【００２２】
図８には該ボックス本体２の構成部品の展開平面図を示しており、該ボックス本体２は、一枚の金属板を打ち抜いてなり、天壁２Ａの左右に折線Ｓ１、Ｓ２を介して側壁（垂直壁）２Ｂ、２Ｃを連設し、前記側壁（垂直壁）２Ｂ、２Ｃの側方に折線Ｓ３、Ｓ４を介して連結片部２Ｂ′、２Ｃ′を連設し、更に前記側壁（垂直壁）２Ｂ、２Ｃにおける感知器取付板３の差し込み側に、夫々折線Ｓ５、Ｓ６を介して上下の連結片部２ａ、２ａとその中間部分の邪魔板部１１とを構成する連結片部２Ｄ、２Ｅを連設し、前記折線Ｓ１〜Ｓ６において夫々の部分を直角に折曲してなる本体部２′と、該本体部２′の底部に溶接する底壁板２″とからなるものである。尚、図においてガイドレールは省略している。
【００２３】
ボックス本体２をこのように構成することにより、邪魔板部１１、１１を本体部２′の形成と同時に設けることができ、コストが安上がりで済む。
【００２４】
次に、本発明の第２の態様に係る火災感知器用点検ボックスについて説明する。
尚、該本発明の第２の態様に係る火災感知器用点検ボックスにおける前記本発明の第１の態様に係る火災感知器用点検ボックスと同一の部材には、同一の符号を付して詳細な説明は省略する。
【００２５】
而して、本発明の第２の態様に係る火災感知器用点検ボックスの特徴とするところは、前記蓋５を構成する蓋取付枠６の開口部における左右垂直壁に、前記感知器取付板３をボックス本体２のガイドレールに差し込むことができる位置に切欠き１４を設けた邪魔板部１３、１３を設けたことにある。
【００２６】
また、本実施形態においては、邪魔板部１３、１３を設けるについて、蓋５を構成する蓋取付枠６の開口部に設けた連結片部６ｂ、６ｂ、６ｂ、６ｂを、左右夫々に位置するもの同士を一枚の板で構成することによって一体化し、上下に位置する連結片部６ｂ、６ｂの中間部分を邪魔板部１３、１３となしている。
【００２７】
また、図１１には図１０に示したものと異なる例の蓋取付枠６の展開平面図を示しており、一枚の金属板を打ち抜いてなり、中央に開口部を有する本体部６Ａの左右に折線Ｓ７、Ｓ８を介して側壁部６Ｂ、６Ｃを連設すると共に、前記本体部６Ａの上部に折線Ｓ９を介して天壁部６Ｄを連設し、更に上下の連結片部６ｂ、６ｂとその中間部分の邪魔板部１３とを形成すべく、開口部の左右を本来の縁部から所要の幅Ｗだけ狭めてなるものである。
【００２８】
蓋取付枠６をこのように構成することにより、邪魔板部１３を本体部６Ａの形成と同時に設けることができ、コストが安上がりで済む。
【００２９】
尚、第１と第２の態様の各邪魔板部において、感知器取付板をボックス本体のガイドレールに差し込むことができる位置のみに切欠きを設ける構成とすれば、より一層の効果を奏することは言うまでもない。
【符号の説明】
【００３０】
１  火災感知器用点検ボックス
２  ボックス本体
２ａ、２ａ、２ａ、２ａ  連結片部
２ａ′  ビス螺合孔
２ｂ、２ｂ  ガイドレール
３  感知器取付板
３ａ  ストッパー部
４  火災感知器
５  蓋
６  蓋取付枠
７  蓋本体
９  連結片部
９ａ  ビス螺合孔
１０  ビス挿通孔
１１、１１  邪魔板部
１２  切欠き
１３、１３  邪魔板部
１４  切欠き
【図１】
2011154623.tif 000003
【図２】
2011154623.tif 000004
【図３】
2011154623.tif 000005
【図４】
2011154623.tif 000006
【図５】
2011154623.tif 000007
【図６】
2011154623.tif 000008
【図７】
2011154623.tif 000009
【図８】
2011154623.tif 000010
【図９】
2011154623.tif 000011
【図１０】
2011154623.tif 000012
【図１１】
2011154623.tif 000013
【図１２】
2011154623.tif 000014
【図１３】
2011154623.tif 000015
【図１４】
2011154623.tif 000016
【手続補正書】
【提出日】平成22年7月30日(2010.7.30)
【手続補正１】
【補正対象書類名】明細書
【補正対象項目名】０００５
【補正方法】変更
【補正の内容】
【０００５】
尚、図示した従来例は蓋１０４における蓋本体１０６を蓋取付枠１０５に枢軸１０７を介して枢着している場合であるが、このようになされていない場合もある。また１０８は蓋取付枠１０５の開口部に設けた、ビス螺合孔１０８ａを有する連結片部、１１０は蓋本体１０６に設けたビス挿通孔である。そして、ビス１０９を蓋本体１０６のビス挿通孔１１０から挿通し、蓋取付枠１０５における連結片部１０８のビス螺合孔１０８ａに螺合させて蓋本体１０６の閉じた状態を保持するものである。
【手続補正２】
【補正対象書類名】図面
【補正対象項目名】図１０
【補正方法】変更
【補正の内容】
【図１０】
2011154623.tif 000017